(57)【特許請求の範囲】
【請求項１】
途中に循環ファンを介在させた循環空気経路と、送風手段を介在させた乾燥用空気経路と、前記循環空気経路と乾燥用空気経路の両方にまたがって配置され、これら両空気経路の間を交互に変位移動する吸着剤と、循環空気経路に臨む吸着剤を加熱して活性化する加熱体と、２つの分離された空気系路を有し、その一つの空気系路が前記乾燥用空気経路の途中であって吸着剤より上流側に、他の一つの空気系路が循環空気経路の途中であって吸着剤より下流側にそれぞれ接続され、乾燥用空気経路を流れる空気で循環空気経路を流れる高温高湿の空気を冷却凝縮する再生除湿器とを具備し、前記再生除湿器を通過した乾燥用空気経路の空気を同乾燥用空気経路に臨む吸着剤でさらに除湿したのち、所定高さに設けた吹出口より乾燥領域に吹出し、さらにこの吹出口の近傍に配置した吸気口を介して乾燥に供された後の空気を回収するようにした衣類乾燥機。
【請求項２】
上記吸気口より吸込んだ空気を乾燥用空気経路の吸着剤よりも上流側に導くようにした請求項１に記載した衣類乾燥機。
【請求項３】
上記吸気口より吸込んだ空気を循環空気経路の吸着剤よりも上流側に導くようにした請求項１に記載した衣類乾燥機。
【請求項４】
上記吹出口および吸気口の上部に傘部を備えた請求項１から３のいずれか１項に記載した衣類乾燥機。
【請求項５】
乾燥領域をエアカーテンで区画すべく上記吹出口とは別に、その吹出口の外周部に第二の吹出口を形成し、傘部にはこの第二の吹出口より吹き出した空気を吸引するために上記吸気口とは別の複数の吸気口を形成した請求項４に記載した衣類乾燥機。
【請求項６】
乾燥領域に被乾燥物を掛けるハンガーパイプを設け、このハンガーパイプに上記吹出口とは別の吹出口を形成した請求項５に記載した衣類乾燥機。
【発明の詳細な説明】
【０００１】
【発明の属する技術分野】
本発明は、除湿装置を装備し衣類等被乾燥物の乾燥を行わせる衣類乾燥機に関するものである。
【０００２】
【従来の技術】
以下に、従来の衣類乾燥機について図９に基づいて説明する。１は収容した衣類を乾燥する乾燥庫で、本体１０内に設けている。本体１０の表面には扉１４を設けており、パッキン１５で乾燥庫１をシールしている。乾燥庫１内には、衣類をかけるハンガーパイプ１３を設けておりこの上に乾燥する衣類を掛けている。また乾燥庫１の上部には吸込口２ｂを設けており、吸込口２ｂに循環風胴２を接続している。循環風胴２は乾燥庫１の低部に開口した吹出口２ａを有している。また循環風胴２内には、送風手段３と空冷式熱交換器４と加熱体８を設けている。また空冷式熱交換器４の上部には、本体１０外の空気によって空冷式熱交換器４を冷却する冷却ファン５を設けている。また６は空冷式熱交換器４で結露した水を排出するドレン孔、９は本体１０に設けた冷却空気の吸気口、１１は排気口、１２は排水タンクである。
【０００３】
以上の構成で、加熱体８によって加熱されて高温となった送風手段３が送風する空気が、吹出口２ａから乾燥庫１内に吹き出し、衣類の水分を奪って高湿となって、吸込口２ｂから送風手段３に循環するものである。この高湿となった空気は、冷却ファン５によって冷却されている空冷式熱交換器４によって除湿される。こうして、送風手段３が送風する空気は乾燥空気となって加熱体８によって加熱されるものである。この送風手段３による乾燥空気の循環によって、乾燥庫１内に収容されている衣類は乾燥が進行するものである。なお、空冷式熱交換器４で除湿された水分はドレン孔６から排出されて排水タンク１２に溜まる。排水タンク１２に溜まったドレン水は、適当なタイミングで排水タンク１２を取り外して廃棄する。
【０００４】
【発明が解決しようとする課題】
前記従来の構成の衣類乾燥機は、乾燥性能を高めるためには断熱構造と密閉構造を必要とするものであり、また冷却空気については除湿作用に利用されるだけで衣類の乾燥には寄与していないものである。つまり、効率が低く小型化を図ることが困難であるという課題を有している。
【０００５】
【課題を解決するための手段】
本発明はこのような従来の構成が有している課題を解決するもので、途中に循環ファンを介在させた循環空気経路と、送風手段を介在させた乾燥用空気経路と、前記循環空気経路と乾燥用空気経路の両方にまたがって配置され、これら両空気経路の間を交互に変位移動する吸着剤と、循環空気経路に臨む吸着剤を加熱して活性化する加熱体と、２つの分離された空気系路を有し、その一つの空気系路が前記乾燥用空気経路の途中であって吸着剤より上流側に、他の一つの空気系路が循環空気経路の途中であって吸着剤より下流側にそれぞれ接続され、乾燥用空気経路を流れる空気で循環空気経路を流れる高温高湿の空気を冷却凝縮する再生除湿器とを具備し、前記再生除湿器を通過した乾燥用空気経路の空気を同乾燥用空気経路に臨む吸着剤でさらに除湿したのち、所定高さに設けた吹出口より乾燥領域に吹出し、さらにこの吹出口の近傍に配置した吸気口を介して乾燥に供された後の空気を回収するようにしたものである。
【０００６】
【発明の実施の形態】
本発明は、途中に循環ファンを介在させた循環空気経路と、送風手段を介在させた乾燥用空気経路と、前記循環空気経路と乾燥用空気経路の両方にまたがって配置され、これら両空気経路の間を交互に変位移動する吸着剤と、循環空気経路に臨む吸着剤を加熱して活性化する加熱体と、２つの分離された空気系路を有し、その一つの空気系路が前記乾燥用空気経路の途中であって吸着剤より上流側に、他の一つの空気系路が循環空気経路の途中であって吸着剤より下流側にそれぞれ接続され、乾燥用空気経路を流れる空気で循環空気経路を流れる高温高湿の空気を冷却凝縮する再生除湿器とを具備し、前記再生除湿器を通過した乾燥用空気経路の空気を同乾燥用空気経路に臨む吸着剤でさらに除湿したのち、所定高さに設けた吹出口より乾燥領域に吹出し、さらにこの吹出口の近傍に配置した吸気口を介して乾燥に供された後の空気を回収するようにしたものである。
【０００７】
これによって、送風手段が送風した空気が吸着剤に接触し、乾燥空気となって衣類をセットした空間を循環することによって衣類の乾燥が進行し、同時に吸着剤は一方で加熱手段によって活性化され、吸着剤から脱離した水分を凝縮する除湿手段によって水に凝縮し、このときに発生する高温空気も衣類の乾燥に利用しているものである。
【０００８】
そして、吸気口より吸込んだ空気を乾燥用空気経路の吸着剤よりも上流側に導くようにして、衣類の乾燥に要する時間を短くした。
【０００９】
他の形態としては、吸気口より吸込んだ空気を循環空気経路の吸着剤よりも上流側に導き、吸着剤の小型化を図ることも考えられる。
【００１０】
また、乾燥領域の上部に傘部を備え付ければ、多湿の空気を効率よく回収できる。
【００１１】
また、乾燥領域をエアカーテンで区画すべく上記吹出口とは別のエアカーテン形成用の空気の吹出口を、傘部にはこのエアカーテンを形成した空気を吸い込むための別の吸気口を設けて、多湿の空気をさらに一層効率よく回収できるようにした。
【００１２】
さらに、乾燥領域に対応して被乾燥物を掛けるハンガーパイプを設け、このハンガーパイプから乾燥用空気を吹き出すようにして、一層の乾燥効率の向上を図った。
【００１３】
【実施例】
（実施例１）
以下、本発明の第１の実施例について説明する。図１は本実施例の衣類乾燥機の内部の構成を示す断面図、図２は同外観を示す斜視図である。本実施例の衣類乾燥機は、本体２３と、本体２３と一体又は別体に設けた送風経路を構成する管体３１とによって構成している。被乾燥物である衣類２８は、図示していない吊り下げ具によって管体３１の前部にセットするものである。本体２３は、側面に吸気口２４を有し、内部には水分を吸着する吸着剤１６と、送風手段２２と、吸着剤１６を活性化する加熱手段である加熱体２０と、加熱体２０を通過した空気を本体２３内に循環させる循環ファン２５と、吸着剤１６を通過した空気を冷却する再生除湿器２６とを有している。送風手段２２と再生除湿器２６とは、吸着剤が脱離した水分を水に凝縮する除湿手段を構成している。
【００１４】
また管体３１は、ダクト３１ａとダクト３２ａを備えている。ダクト３１ａは一端は送風手段２２が送風する空気を吹き出す吹出口２７となっており、他端は本体２３に収容している送風手段２２の送風経路に接続している。ダクト３１ｂは吹出口の上部に設けた第二の吸気口２９と、内部に第二の吸気口２８近傍に設けた回収ファン３０とを有している。前記第二の吸気口２８と回収ファン３０とは、送風手段２２が吹出口２７から吹き出した乾燥空気を回収する回収部を構成している。
【００１５】
吸着剤１６は、シリカゲルまたはゼオライト等を粒状に成形したものを使用しており、図３に示している円筒状の枠体１７内に装着している。枠体１７は中央部を仕切って、２つの半円筒形部１７ａ・１７ｂとし、このそれぞれに吸着剤１６ａ・１６ｂを挿入するようにしている。また１８は、それぞれの吸着剤１６ａ・１６ｂの表面に設けている網である。
【００１６】
つまり吸着剤１６ａ・１６ｂは、網１８によって上下を挟持された形で収容されている。また１９は、前記枠体１７を一定時間間隔で１８０度ずつ回転させる駆動モータである。つまり吸着剤１６は、一定時間間隔で、再生工程側経路２１ａ・吸着工程側経路２１ｂを回転移動する構成となっている。
【００１７】
再生工程側経路２１ａには、半円筒形部１７ａ内に装着した吸着剤１６ａの上流側に吸着剤１６ａを活性化する加熱手段である加熱体２０を設けており、加熱体２０は常時通電されている。前記送風手段２２は、吸着剤１６ｂの下流側に設けており、本体２３の吸気口２４より吸気した空気を吸着剤１６ｂに供給している。また循環ファン２５は、再生工程側経路２１ａ内で吸着剤１６ａの下流側に設けており、上流より吸引した高温高湿の空気を下流に排気している。
【００１８】
再生除湿器２６は、管内と管外とに分離した二つの経路を有している空冷式の熱交換器で、再生工程側形路２１ａと吸着工程側経路２１ｂとの交点に配置している。また再生除湿器２６の配管は、再生工程側経路２１ａの例えば吸着剤１６ａの下流側に接続しており、高温高湿の空気が流入する。
【００１９】
また再生除湿器２６の配管外は、吸着工程側経路２１ｂ内で例えば吸着剤１６ｂの上流に設けた送風手段２２によって吸気口２４より吸気した冷却空気が流入する。このため管内を流れる高温高湿の空気は、管外を流れる冷却空気によって露点温度以下に冷却されて凝縮し、除湿される。除湿され凝縮した水は、図示していない排水タンク等に回収される。こうして吸着工程側経路２１ｂで、再生除湿器２６の管外側を流れて管内側を冷却し、凝縮熱を受けて高温となった空気は、例えば半円筒形部１７ｂ内に装着された吸着剤１６ｂを通過し、水分を除去されて乾燥した高温の空気となって、送風手段２２によって後方の吹出口２７から吹き出される。
【００２０】
なお吹出口２７の吹出角度は、前記高温の乾燥空気が、図示していない吊り下げ具に掛けた被乾燥物である衣類に向かうように設定している。また前記回収部を構成する第二の吸気口２９は吹出口２７の上方に位置しており、衣類の乾燥に伴って衣類から蒸発した水分を含んだ多湿の空気を、回収ファン３０を介して本体２３に供給するように構成されている。
【００２１】
以下本実施例の動作について説明する。図示していない電源を投入すると、加熱体２０・送風手段２２・循環ファン２５・駆動モータ１９が通電され動作を開始する。送風手段２２が動作すると、本体２３の吸気口２４から外部の空気が吸気される。この空気は再生除湿器２６の管外側を流れて、吸着工程側経路２１ｂを構成している半円筒形部１７ｂ内に装着した吸着剤１６ｂ内に流入する。吸着剤１６ｂとの接触によって空気は水分を奪われ乾燥空気となって、送風手段２２によって後方の吹出口２７から衣類２８に向かって吹き出される。衣類２８から蒸発した水分は、吹出口２７の上方に設けている第二の吸気口２９から回収ファン３０によって回収され、本体２３内に送られる。
【００２２】
このとき半円筒形部１７ａ内に装着した吸着剤１６ａが構成している再生工程側経路２１ａでは、加熱体２０が常時通電されている。この状態で循環ファン２５が送風する循環空気は、加熱体２０の発熱を受けて徐々に加熱される。このため吸着剤１６ａも次第に温度上昇し、吸着剤１６ａが吸着している水分は除々に脱離する。
【００２３】
従って吸着剤１６ａは、水分を脱離されることによって活性化される。脱離した水分によって高温高湿となった空気は、循環ファン２５によって下流側に設けている再生除湿器２６の管内側に流入する。再生除湿器２６は再生側経路２１ａと吸着側経路２１ｂとの交点に配置しているため、前記高温高湿の空気は送風手段２２が吸気口２４から吸気・送風している外気によって冷却される。冷却されて発生した凝縮水は、排水タンク等に回収される。こうして再生除湿器２６の配管の内側を通過した空気は、循環ファン２５によって再び加熱体２０に循環し加熱される。この循環を繰り返すことによって、吸着剤１６ａは常に活性化されるものである。
【００２４】
こうして一定時間が経過すると、駆動モータ１９によって円筒状の枠体１７が１８０度回転して、半円筒形部１７ａ・１７ｂが入れ替わるものである。つまり、吸着工程側経路２１ｂには半円筒形部１７ａが、再生工程側経路２１ａには半円筒形部１７ｂが位置するものである。こうして新たに再生工程側経路２１ａに位置した吸着剤１６ｂは、吸着工程側経路２１ｂに位置していたときに吸着した水分を離脱され、活性化するものである。また新たに吸着工程側経路２１ｂに位置した吸着剤１６ａは、十分活性化されているため水分の吸着を効率よくできる。
【００２５】
また吹出口２７に送られる空気の温度は、再生除湿器２６の管外側を冷却した際に受ける凝縮熱と、回転前に加熱体２０によって加熱され高温となっている吸着剤１６ａを通過する際に受ける熱とによって一層高くなっている。つまり、吹出口２７から衣類２８に向けて吹き出される空気はより高温の乾燥したものとなる。
【００２６】
以上のように本実施例によれば、駆動モータ１９によって半円筒形部１７ａ・１７ｂを一定時間間隔で回転駆動する構成としているため、吸着剤１６に空気を供給して水分を吸着させる吸着工程と吸着剤から水分を脱離する再生工程とを並行して行うことができるものである。従って、本体２３の上部に配置した被乾燥物である衣類２８には常時乾燥した高温の空気を供給でき、また衣類２８が有している水分は第二の吸気口２９から再生除湿器２６等によって凝縮するため、効率の高い乾燥ができるものである。
【００２７】
なお本実施例では、再生除湿器２６を再生経路２１ａと吸着側経路２１ｂとの交点に配置して、送風手段２２によって吸気口２４より吸気した空気の吸着剤１６への供給と、再生除湿器２６への冷却空気の供給とを行うようにしているが、再生除湿器２６を再生工程側経路２１ａに配置して、吸気口２４より吸気した空気の吸着剤１６への供給と、再生除湿器２６への冷却空気の供給とをそれぞれ別々の送風手段を用いて行っても同様の効果が得られるものである。
【００２８】
また本実施例では駆動モータ１９を一定時間間隔で１８０度ずつ回転させるようにしているが、低速で連続的に回転させるようにしても同様の効果が得られるものである。
【００２９】
（実施例２）
続いて本発明の第２の実施例について図４に基づいて説明する。本実施例では、管体３０に設けているダクト３１ｂの一端を、吸着工程側経路２１ｂ内の吸着剤１６ｂの上流側に接続した構成としているものである。これによって、衣類の乾燥に要する時間を短くした衣類乾燥機を実現できるものである。
【００３０】
つまり、第二の吸気口２９から回収ファン３０によって吸気した多湿の空気は、ダクト３１ｂから吸着工程側経路２１ｂを構成する吸着剤１６ｂの手前に供給される。この後、吸気口２４を会して本体２３の外部より吸気した空気と一緒になって吸着剤１６ｂに送られる。従って吸着剤１６ｂが吸着する水分量が増し、再生除湿器２６等により凝縮水として回収される単位時間当たりの水分量も増加し、衣類の乾燥に要する時間は短くなるものである。
【００３１】
（実施例３）
次に本発明の第３の実施例について図５に基づいて説明する。本実施例では、ダクト３１ｂの一端を再生工程側経路２１ａに配置している加熱体２０の上流側に接続した構成としているものである。これによって、衣類の乾燥時間を短縮できるものである。
【００３２】
つまり、第二の吸気口２９から回収ファン３０によって回収した多湿の空気は、循環ファン２５によって加熱体２０の手前に吸引されるものである。この空気は、再生工程側経路２１ａで常時通電されている加熱体２０によって熱せられ高温高湿の空気となって、半円筒形部１７ａ内に装着した吸着剤１６ａから脱離した水分を含む高温高湿の空気と共に再生除湿器２６の配管内に流入する。
【００３３】
従って再生除湿器２６が除湿して凝縮する凝縮水の量は、吸着剤１６ａから脱離した水分を含む高温高湿の空気だけを処理する場合に比べて多くなるものである。このため吹出口２７から吹き出す乾燥空気は、より乾燥したものとなって衣類の乾燥がより短時間で行われるものである。またこの構成とした場合には、吸着剤１６の少量化も可能となり、本体２３も小型化できるものである。
【００３４】
（実施例４）
続いて本発明の第４の実施例について図６に基づいて説明する。本実施例では、第二の吸気口２９上方に傘部３３を設けた構成としている。これによって、衣類から蒸発した水分を効率よく回収できるものである。
【００３５】
つまり、吹出口２７から吹き出された高温の乾燥空気によって衣類から蒸発した水分は、傘部３３によって捕獲できるものである。従って、第二の吸気口２９から回収ファン３０が回収する空気は、傘部３３が捕獲した水分を含んだ多湿の空気となる。以上によって本実施例によれば、一層効率の高い衣類乾燥機を実現できるものである。なお、本実施例では傘部３３を第二の吸気口２９の上方に設けたが、傘部３３を第二の吸気口２９と一体に設けても同様の効果が得られるものである。
【００３６】
（実施例５）
次に本発明の第５の実施例について説明する。本実施例では図７に示しているように、傘部３３と本体２３との間にエアーカーテンを形成する構成として、一層効率の高い衣類乾燥機を実現している。
【００３７】
つまり、傘部３３は外周に第三の吸気口３５を、本体２３は天面の外周部に第二の吹出口３４を有している。こうして、第二の吹出口３４から第三の吸気口３５に向けて、高速で空気を吹き出すものである。こうすると、衣類２８がセットされている空間はエアカーテンによって囲まれた構成となる。この状態で前記乾燥を実行すると、衣類２８から蒸発した水分はエアカーテンによって遮蔽され、外部に逃げる率は低くなるものである。従って、この水分は効率よく第二の吸気口２９から回収ファン３０によって本体２３内部に回収することができ、一層効率の高い衣類乾燥機を実現できるものである。
【００３８】
（実施例６）
次に本発明の第６の実施例について説明する。本実施例では、図８に示しているように、本体２３の天面と第二の吸気口２９との中間部に衣類２８を掛けるためのハンガーパイプ３６を設ける構成としているものである。この構成とすることによって、更に効率の高い乾燥ができるものである。
【００３９】
すなわち、ハンガーパイプ３６には第三の吹出口３７を設けており、第三の吹出口３７から、再生除湿器２６の凝縮熱と吸着剤１６から受けた吸着熱とによって高温とした空気を衣類２８に向けて吹き出すものである。このハンガーパイプ３６は、第二の吹出口３４と第三の吸気口３５との間に形成されているエアカーテンの中に位置しているため、エアーカーテンを遮るものがほとんどなくなるものである。
【００４０】
従って、第三の吹出口３７から送風する高温の乾燥空気によって衣類２８から発生する水分が、このエアカーテンから外に逃げることもほとんどなくなるものである。この状態で第二の吸気口２９から、回収ファン３０によって前記水分を含んだ多湿の空気を本体２３内に回収することによって、衣類２８から発生する水分の殆どを回収できる効率の高い衣類乾燥機とできるものである。
【００４１】
以上のように各実施例によれば次のような作用効果が期待できるものである。
【００４２】
（１）側面に吸気口を有し、内部に水分を吸着する吸着剤と、吸気口から吸気した空気を送風する送風手段と、吸着剤を活性化する加熱手段と、吸着剤が脱離した水分を水に凝縮する除湿手段とを有する本体と、本体と一体又は別体に設けた送風経路を構成する管体と、この管体に設けた前記送風手段が送風する空気を吹き出す吹出口と、吹出口の上部に設けた回収部とを備え、前記吸着剤に空気を供給して水分を吸着させる吸着工程と前記吸着剤から水分を脱離させる再生工程とを並行して行いながら、高温の乾燥空気を吹出口から被乾燥物に吹き出し、被乾燥物から蒸発した水分によって多湿となった空気を回収部が回収して被乾燥物を乾燥させる構成として、吸着剤を利用した簡単な構成で且つ乾燥効率の高い衣類乾燥機を実現するものである。
【００４３】
（２）送風手段は吸着剤によって水分を除去した高温の乾燥空気を吹出口から被乾燥物に向けて吹き出し、被乾燥物から蒸発した水分によって多湿となった空気を回収部から回収して、吸着経路内の吸着剤の手前に供給する構成として、衣類の乾燥に要する時間を一層短くした乾燥効率の高い衣類乾燥機を実現するものである。
【００４４】
（３）送風手段は吸着剤によって水分を除去した高温の乾燥空気を吹出口から被乾燥物に向けて吹き出し、被乾燥物から蒸発した水分によって多湿となった空気を回収部から回収して、加熱手段の手前に供給する構成として、小型の吸着剤が使用でき、また乾燥時間の短い衣類乾燥機を実現するものである。
【００４５】
（４）管体の上部に傘部を備えた構成として、多湿の空気を効率よく回収でき、効率の高い衣類乾燥機を実現するものである。
【００４６】
（５）本体は天面の外周部に第二の吹出口を有し、傘部は外周に第三の吸気口を有して、第二の吹出口から第三の吸気口に向かって高速で空気を吹き出す構成として、被乾燥物の周囲にエアカーテンを形成でき、衣類から蒸発した水分を効率よく回収できる衣類乾燥機を実現するものである。
【００４７】
（６）管体は被乾燥物を掛けるハンガーパイプを有し、このハンガーパイプは表面に管体内に連通した第三の吹出口を有する構成として、被乾燥物を掛けるハンガーパイプをエアーカーテン内に設けることができ、一層効率の高い衣類乾燥機を実現するものである。
【００４８】
【発明の効果】
以上のように本発明によれば、吸着剤を利用した簡単な構成で、且つ乾燥効率の高い衣類乾燥機を実現するものである。
【図面の簡単な説明】
【図１】  本発明の第１の実施例である衣類乾燥機の内部の構成を示す断面図
【図２】  同、外観を示す斜視図
【図３】  同、吸着剤の形状を説明する斜視図
【図４】  本発明の第２の実施例である衣類乾燥機の内部の構成を示す断面図
【図５】  本発明の第３の実施例である衣類乾燥機の内部の構成を示す断面図
【図６】  本発明の第４の実施例である衣類乾燥機の外観を示す斜視図
【図７】  本発明の第５の実施例である衣類乾燥機の外観を示す斜視図
【図８】  本発明の第６の実施例である衣類乾燥機の外観を示す斜視図
【図９】  従来例である衣類乾燥機の構成を示す断面図
【符号の説明】
１６  吸着剤
２０  加熱体
２２  送風手段
２３  本体
２４  吸気口
２５  循環ファン
２６  再生除湿器
２７  吹出口
２９  第二の吸気口
３０  回収ファン
３１  管体
３３  傘部
３４  第二の吹出口
３５  第三の吸気口
３６  ハンガーパイプ
３７  第三の吹出口
【図１】
0003713837.tif 000002
【図２】
0003713837.tif 000003
【図３】
0003713837.tif 000004
【図４】
0003713837.tif 000005
【図５】
0003713837.tif 000006
【図６】
0003713837.tif 000007
【図７】
0003713837.tif 000008
【図８】
0003713837.tif 000009
【図９】
0003713837.tif 000010